(57)【要約】【課題】放送受信端末にて視聴中の放送番組を簡単な操作でしかも短時間に番組録画装置に録画させることができ、これによりユーザの利便性を高めた番組録画システムを提供する。【解決手段】携帯受像機１０Ａからテレビジョン受像機２０Ａに対して視聴中の番組のチャンネル番号情報のみをネットワークＮＷを介して送信し、チャンネル番号情報受信時にテレビジョン受像機２０Ａによりチャンネル番号情報に対応する番組情報をネットワークＮＷ上の番組提供サーバＰＳＶから取得するようにした。【選択図】      図１
2005286898.tif 000002
【特許請求の範囲】
【請求項１】
複数チャンネルの放送ネットワークにより送信される放送信号を受信するとともに、前記放送ネットワークとは異なる通信ネットワークに接続可能な放送受信端末と、この放送受信端末に対し前記通信ネットワークを介して接続可能で、録画指示入力に応じて任意のチャンネルの放送信号を受信して記録媒体に記録する番組録画装置とを備える番組録画システムであって、
前記放送受信端末は、
任意のチャンネルの放送信号を受信しているとき、前記番組録画装置に対する録画指示入力に応じて該チャンネルを示すチャンネル識別情報を作成し、このチャンネル識別情報を前記通信ネットワークを介して前記番組録画装置に送信する送信手段を備え、
前記番組録画装置は、
前記通信ネットワークにより到来するチャンネル識別情報を受信する受信手段と、
互いにチャンネル及び放送開始終了時間が異なる複数の番組情報の中から前記チャンネル識別情報に対応する番組情報を取得する取得手段と、
この取得手段で取得される番組情報に基づいて、該当するチャンネルの放送信号を受信し放送終了時間まで前記記録媒体に記録する録画制御手段とを具備したことを特徴とする番組録画システム。
【請求項２】
複数チャンネルの放送ネットワークにより送信される放送信号を受信する放送受信端末に対し、前記放送ネットワークとは異なる通信ネットワークを介して接続可能な番組録画装置であって、
前記放送受信端末か前記通信ネットワークを介して送信され、該放送受信端末にて受信中のチャンネルを示すチャンネル識別情報を受信する受信手段と、
互いにチャンネル及び放送開始終了時間が異なる複数の番組情報の中から前記チャンネル識別情報に対応する番組情報を取得する取得手段と、
この取得手段で取得される番組情報に基づいて、該当するチャンネルの放送信号を受信し放送終了時間まで記録媒体に記録する録画制御手段とを具備したことを特徴とする番組録画装置。
【請求項３】
前記チャンネル識別情報に前記放送受信端末の位置を表す位置情報が付加されているとき、
前記取得手段は、前記位置情報に基づいて自装置の放送エリアに該当するチャンネルの番組情報を取得することを特徴とする請求項２記載の番組録画装置。
【請求項４】
前記取得手段は、前記チャンネル識別情報受信時に、前記通信ネットワーク上で前記番組情報を提供する番組提供装置との間で通信を行うことにより前記チャンネル識別情報に対応する番組情報を取得することを特徴とする請求項２記載の番組録画装置。
【請求項５】
前記複数の番組情報を記憶する外部記憶装置に対し接続可能であるとき、
前記取得手段は、前記チャンネル識別情報受信時に、前記外部記憶装置にアクセスして、前記チャンネル識別情報に対応する番組情報を取得することを特徴とする請求項２記載の番組録画装置。
【請求項６】
録画指示入力に応じて、互いにチャンネル及び放送開始終了時間が異なる複数の番組情報の中から任意のチャンネルの番組情報を取得し、この番組情報に基づいて放送ネットワークにより送信される当該チャンネルの放送信号を受信して記録媒体に記録する番組録画装置に対し、前記放送ネットワークとは異なる通信ネットワークを介して接続可能な放送受信端末であって、
任意のチャンネルの放送信号を受信しているとき、前記番組録画装置に対する録画指示入力に応じて該チャンネルを示すチャンネル識別情報を作成し、このチャンネル識別情報を前記通信ネットワークを介して前記番組録画装置に送信する送信手段を備えたことを特徴とする放送受信端末。
【請求項７】
自端末の現在位置を示す位置情報を取得する位置情報取得手段をさらに備え、
前記送信手段は、前記番組録画装置に対する録画指示入力時に、前記位置情報を前記チャンネル識別情報に付加して送信することを特徴とする請求項６記載の放送受信端末。
【請求項８】
前記位置情報取得手段は、測位衛星から送信される測位衛星信号を受信して、前記位置情報を生成することを特徴とする請求項７記載の放送受信端末。
【請求項９】
複数チャンネルの放送ネットワークにより送信される放送信号を受信するとともに、前記放送ネットワークとは異なる通信ネットワークに接続可能な放送受信端末と、この放送受信端末に対し前記通信ネットワークを介して接続可能で、録画指示入力に応じて任意のチャンネルの放送信号を受信して記録媒体に記録する番組録画装置とを備える番組録画システムで使用される番組録画方法であって、
前記放送受信端末において、任意のチャンネルの放送信号を受信しているとき、前記番組録画装置に対する録画指示入力に応じて該チャンネルを示すチャンネル識別情報を作成し、このチャンネル識別情報を前記通信ネットワークを介して前記番組録画装置に送信し、
前記番組録画装置において、前記通信ネットワークにより到来するチャンネル識別情報を受信し、
互いにチャンネル及び放送開始終了時間が異なる複数の番組情報の中から前記チャンネル識別情報に対応する番組情報を取得し、
得られた番組情報に基づいて、該当するチャンネルの放送信号を受信し放送終了時間まで前記記録媒体に記録することを特徴とする番組録画方法。
【発明の詳細な説明】
【技術分野】
【０００１】
この発明は、例えば家庭内のテレビジョン受信機またはビデオテープレコーダに対し携帯型テレビジョン受信機等の放送受信端末から通信ネットワークを利用して録画設定を行う番組録画システムとその番組録画装置及び放送受信端末、及び番組録画システムで使用される番組録画方法に関する。
【背景技術】
【０００２】
放送システムにあっては、携帯型テレビジョン受信機や車載用テレビジョン受信機といった放送受信端末が普及している。また、移動通信システムにあっても、音声通話やデータ通信に加え、テレビジョン放送を受信可能なテレビジョンチューナ付き携帯電話機が普及し始めている。
【０００３】
このような放送受信端末を用いれば、ユーザは屋外にいる場合や自動車を運転中の場合でも好みの番組を視聴することができる。しかし、放送受信端末が動き回り受信環境が一定しないため、例えば都市部のビルの谷間などのように放送電波が届き難い場所で受信障害が起きてしまうことがある。また、ユーザの状況により番組を視聴できなくなることもある。
【０００４】
そこで、移動通信網等の通信ネットワークを利用して放送受信端末から家庭内のテレビジョン受信機やビデオテープレコーダといった番組録画装置に対し録画設定を行えるようにするシステムが提案されている（例えば、特許文献１及び特許文献２）。
【特許文献１】特開２０００−６７４８８号公報
【特許文献２】特開２００３−２８３９７２号公報。
【発明の開示】
【発明が解決しようとする課題】
【０００５】
ところが、上記システムでは、屋外の放送受信端末で視聴中の放送番組を家庭内の番組録画装置に対し録画設定を行う際に、ユーザが視聴中のチャンネル番号の入力、放送開始終了時間の入力までの一連の操作を全て手動で行わなければならず、このため録画設定に複雑な操作を要するとともに多くの時間がかかってしまうことになる。また、放送開始終了時間が不明な場合には、放送受信端末においてインターネット上のホームページから番組情報を受信したり、また新聞や雑誌等を見なければならず、ユーザの負担が大きくなる。
【０００６】
そこで、この発明の目的は、放送受信端末にて視聴中の放送番組を簡単な操作でしかも短時間に番組録画装置に録画させることができ、これによりユーザの利便性を高めた番組録画システムとその番組録画装置及び放送受信端末、及び番組録画システムで使用される番組録画方法を提供することにある。
【課題を解決するための手段】
【０００７】
この発明は、上記目的を達成するために、以下のように構成される。  
複数チャンネルの放送ネットワークにより送信される放送信号を受信するとともに、放送ネットワークとは異なる通信ネットワークに接続可能な放送受信端末と、この放送受信端末に対し通信ネットワークを介して接続可能で、録画指示入力に応じて任意のチャンネルの放送信号を受信して記録媒体に記録する番組録画装置とを備える番組録画システムであって、放送受信端末は、任意のチャンネルの放送信号を受信しているとき、番組録画装置に対する録画指示入力に応じて該チャンネルを示すチャンネル識別情報を作成し、このチャンネル識別情報を通信ネットワークを介して番組録画装置に送信する送信手段を備え、番組録画装置は、通信ネットワークにより到来するチャンネル識別情報を受信する受信手段と、互いにチャンネル及び放送開始終了時間が異なる複数の番組情報の中からチャンネル識別情報に対応する番組情報を取得する取得手段と、この取得手段で取得される番組情報に基づいて、該当するチャンネルの放送信号を受信し放送終了時間まで記録媒体に記録する録画制御手段とを備えるようにしたものである。
【０００８】
この構成によれば、放送受信端末から番組録画装置へ通信ネットワークを介して送信される情報は録画すべくチャンネルを示すチャンネル識別情報のみとなり、チャンネル識別情報に対応する番組情報は番組録画装置により取得されることになる。したがって、ユーザは任意のチャンネルの放送番組の視聴中に放送受信端末の録画指示キーを押すだけで、放送開始終了時間を表す番組情報の入力操作やダウンロードを一切行う必要がなくなり、これにより番組録画装置に対する録画設定操作上の負担は大幅に軽減され、ユーザの利便性は大幅に改善される。
【０００９】
放送受信端末において、自端末の現在位置を示す位置情報を取得する位置情報取得手段をさらに備え、送信手段は、番組録画装置に対する録画指示入力時に、位置情報をチャンネル識別情報に付加して送信し、番組録画装置において、チャンネル識別情報に放送受信端末の位置を表す位置情報が付加されているとき、取得手段は、位置情報に基づいて番組録画装置の放送エリアに該当するチャンネルの番組情報を取得することを特徴とする。
【００１０】
この構成によれば、放送受信端末の現在位置と番組録画装置の設置場所とで録画すべく番組のチャンネル番号または番組開始終了時間が異なる場合でも、チャンネル識別情報に付加される位置情報を利用することで、番組録画装置により録画すべくチャンネル番号及び番組開始終了時間とを確実に取得することができる。
【００１１】
番組録画装置において、取得手段は、チャンネル識別情報受信時に、通信ネットワーク上で番組情報を提供する番組提供装置との間で通信を行うことによりチャンネル識別情報に対応する番組情報を取得することを特徴とする。
【００１２】
この構成によれば、チャンネル識別情報に対応する番組情報を通信ネットワーク上の番組提供装置から取得するようにしているので、チャンネルごとの番組情報を蓄積管理するためのテーブルを格納する必要がなく、その分記憶容量の削減を図り番組情報管理を簡略化すると共に、システム構成を簡単化でき、さらに時間シフト等による番組情報の変更にも容易に対応可能となる。
【００１３】
複数の番組情報を記憶する外部記憶装置に対し接続可能であるとき、取得手段は、チャンネル識別情報受信時に、外部記憶装置にアクセスして、チャンネル識別情報に対応する番組情報を取得することを特徴とする。
【００１４】
この構成によれば、複数の番組情報を記憶する外部記憶装置を用意するようにしたので、録画指定されたチャンネルに対応する番組情報を外部記憶装置から読み出すといった簡単な手順でしかも短時間で録画設定処理を実行することができる。
【発明の効果】
【００１５】
以上詳述したようにこの発明によれば、放送受信端末にて視聴中の放送番組を簡単な操作でしかも短時間に番組録画装置に録画させることができ、これによりユーザの利便性を高めた番組録画システムとその番組録画装置及び放送受信端末、及び番組録画システムで使用される番組録画方法を提供することができる。
【発明を実施するための最良の形態】
【００１６】
以下、この発明の実施形態について図面を参照して詳細に説明する。  
（第１の実施形態）  
図１は、この発明に係わる番組録画システムの第１の実施形態を示す概略構成図である。
【００１７】
このシステムは、放送受信端末としての携帯受像機１０Ａと、番組録画装置としてのテレビジョン受像機２０Ａとから構成される。このうち携帯受像機１０Ａは、車両に搭載されるかまたは視聴者自身（ユーザ）が携帯することにより使用される。なお、携帯受像機１０Ａは家屋内に固定的に設置することも可能である。また、テレビジョン受像機２０Ａは、屋内ＨＭに固定的に設置される。さらに、テレビジョン受像機２０ＡはネットワークＮＷに接続される。
【００１８】
このシステムは、サービスエリアに分配配置された複数の基地局ＢＳを備えている。なお、同図では説明の簡単なため１つの基地局ＢＳのみを示している。基地局ＢＳはセルと呼ばれる無線エリアを形成し、この無線エリア内に存在する携帯受像機１０Ａに対し無線回線を介して接続される。
【００１９】
また、基地局ＢＳは電話・携帯電話公衆網、インターネットを含むネットワークＮＷに接続される。このネットワークＮＷ上には、番組提供サーバＰＳＶが接続されている。番組提供サーバＰＳＶは、携帯受像機１０Ａまたはテレビジョン受像機２０Ａに対し、要求に応じて任意の番組情報を送信するための機能を有する。この番組情報には、例えば放送日付、チャンネル番号、番組開始時刻、番組終了時刻、番組名称等が含まれる。
【００２０】
ところで、上記携帯受像機１０Ａは次のように構成される。図２はその構成を示すブロック図である。
【００２１】
すなわち、図示しない放送局から放送チャンネルにより放送された放送信号は、アンテナ１１を介して受信部１２で受信されたのち映像処理部１３に入力され、ここで所定の映像信号処理が施されてモニタ１４に表示される。
【００２２】
さらに、携帯受像機１０Ａは、入力部１５と、制御部１６と、無線通信部１７とを備えている。このうち入力部１５は、ユーザがチャンネル指定など、制御部１６に対し種々の動作指示を入力するために使用するもので、テレビジョン受像機２０Ａに対する録画設定指示の入力にも使用される。
【００２３】
制御部１６は、ユーザの指示入力に従い、放送信号の受信表示動作に係わる通常の制御機能に加え、この発明に係わる新たな機能として、チャンネル番号送信機能１６ａを備えている。
【００２４】
チャンネル番号送信機能１６ａは、入力部１５からのテレビジョン受像機２０Ａに対する録画設定指示に応じて無線通信部１７を制御してテレビジョン受像機２０Ａにアクセスし、視聴中の放送チャンネル番号を示すチャンネル番号情報を生成し、アンテナ１８、基地局ＢＳ及びネットワークＮＷを介して該チャンネル番号情報をテレビジョン受像機２０Ａに送信する。
【００２５】
一方、テレビジョン受像機２０Ａは次のように構成される。図３はその構成を示すブロック図である。
【００２６】
すなわち、図示しない放送局から放送チャンネルにより放送された放送信号は、アンテナ２１を介して受信部２２で受信されたのち映像処理部２３に入力され、ここで所定の映像信号処理が施されてモニタ２４に表示される。
【００２７】
さらに、テレビジョン受像機２０Ａは、制御部２５と、ＲＡＭ２６と、通信部２７とを備えている。制御部２５は、放送信号の受信表示動作に係わる通常の制御機能に加え、この発明に係わる新たな機能として、番組情報取得機能２５ａ及び録画制御機能２５ｂを備えている。
【００２８】
番組情報取得機能２５ａは、携帯受像機１０ＡからネットワークＮＷを介してチャンネル番号情報が到来したとき、通信部２７を制御して番組提供サーバＰＳＶに対しチャンネル番号情報に対応する番組情報取得要求を送出するとともに、この取得要求に応じて番組提供サーバＰＳＶが送信する番組情報を受信する。
【００２９】
録画制御機能２５ｂは、受信した番組情報に基づいて、受信部２２に該当する放送チャンネルの放送信号を受信させ、番組情報に示される番組終了時間まで放送信号をＲＡＭ２６に記録する。
【００３０】
次に、以上のように構成された番組録画システムの動作を説明する。図４は、携帯受像機１０Ａの動作手順とその内容を示すフローチャートである。
【００３１】
例えばユーザが屋外で携帯受像機１０Ａを用いて任意の放送チャンネルの番組を視聴しているものとする（ステップＳＴ４ａ）。そして、この状態でユーザが入力部１５に設けられる「自宅録画ボタン」を押すことにより（ステップＳＴ４ｂ）、携帯受像機１０Ａの制御部１６は視聴中のチャンネル番号を示すチャンネル番号情報を作成し、図示しないバッファに記憶保持する（ステップＳＴ４ｃ）。続いて、無線通信部１７を制御してネットワークＮＷに対しテレビジョン受像機２０Ａの発呼信号を送出する。この発呼に対しテレビジョン受像機２０Ａとの間に通信リンクが確立されると、この通信リンクを介して作成したチャンネル番号情報を送信する（ステップＳＴ４ｄ）。このチャンネル番号情報には、携帯受像機１０Ａの識別情報が含まれる。
【００３２】
図５は、テレビジョン受像機２０Ａの動作手順とその内容を示すフローチャートである。  
テレビジョン受像機２０Ａの制御部２５は、携帯受像機１０ＡからネットワークＮＷを介して伝送されたチャンネル番号情報を受信し（ステップＳＴ５ａ）、携帯受像機１０Ａとの間の通信リンクを切断した後、ネットワークＮＷに対し番組提供サーバＰＳＶの発呼信号を送出する。そして、この発呼に対し番組提供サーバＰＳＶとの間に通信リンクが確立されると、この通信リンクを介して番組提供サーバＰＳＶに対しチャンネル番号情報に対応する番組情報の取得要求を送信する（ステップＳＴ５ｂ）。この取得要求には、取得を希望する番組のチャンネル番号が含まれる。
【００３３】
そして、制御部２５は、番組提供サーバＰＳＶからネットワークＮＷを介して伝送された番組情報を受信し（ステップＳＴ５ｃ）、この番組情報に基づいて受信部２２に該当する放送チャンネルの放送信号を受信させて、その受信信号をＲＡＭ２６に記録する録画処理を実行する（ステップＳＴ５ｄ）。
【００３４】
この実行中に、制御部２５は番組情報に示される番組終了時間になるか否かを判定し（ステップＳＴ５ｅ）、番組終了時間になるまで録画処理を実行する。そして、番組終了時間になった場合に（Ｙｅｓ）、制御部２５は録画処理を終了する。
【００３５】
以上のように上記第１の実施形態では、携帯受像機１０Ａからテレビジョン受像機２０Ａに対して視聴中の番組のチャンネル番号情報のみをネットワークＮＷを介して送信し、チャンネル番号情報受信時にテレビジョン受像機２０Ａによりチャンネル番号情報に対応する番組情報をネットワークＮＷ上の番組提供サーバＰＳＶから取得するようにしている。
【００３６】
したがって、ユーザは携帯受像機１０Ａにより任意の放送チャンネルの番組の視聴中に「自宅録画ボタン」を押すだけで、番組開始終了時間を表す番組情報の入力操作やダウンロードを一切行う必要がなくなり、これにより自宅に設置されているテレビジョン受像機２０Ａに対する録画設定操作上の負担は大幅に軽減され、ユーザの利便性は大幅に改善される。
【００３７】
また、上記第１の実施形態では、テレビジョン受像機２０Ａがチャンネル番号情報に対応する番組情報をネットワークＮＷ上の番組提供サーバＰＳＶから取得するようにしているので、チャンネルごとの番組情報を蓄積管理するためのテーブルをテレビジョン受像機２０Ａに格納する必要がなく、その分記憶容量の削減を図り番組情報管理を簡略化すると共に、システム構成を簡単化でき、さらに時間シフト等による番組情報の変更にも容易に対応可能となる。
【００３８】
（第２の実施形態）  
図６は、この発明の第２の実施形態におけるテレビジョン受像機２０Ｂの構成を示すブロック図である。なお、図６において、上記図３と同一部分には同一符号を付して詳細な説明を省略する。
【００３９】
すなわち、テレビジョン受像機２０Ｂには、記憶装置３０を接続するための外部インタフェース（外部Ｉ／Ｆ）２８が設けられている。記憶装置３０には、互いにチャンネル番号、番組名、番組開始終了時間が異なる複数の番組情報が記憶されている。
【００４０】
外部インタフェース２８は、制御部２５の指示に従い、記憶装置３０にアクセスし、記憶装置３０から任意の番組情報を読み出して制御部２５に供給する。
【００４１】
制御部２５の番組情報取得機能２５ａは、携帯受像機１０ＡからネットワークＮＷを介してチャンネル番号情報が到来したとき、外部インタフェース２８を制御して記憶装置３０に対しチャンネル番号情報に対応する番組情報取得要求を送出するとともに、この取得要求に応じて記憶装置３０から読み出される番組情報を受信する。
【００４２】
次に、以上のように構成された番組録画システムの動作を説明する。  
テレビジョン受像機２０Ｂの制御部２５は、携帯受像機１０ＡからネットワークＮＷを介して伝送されたチャンネル番号情報を受信し、携帯受像機１０Ａとの間の通信リンクを開放した後、記憶装置３０にアクセスし、記憶装置３０に対しチャンネル番号情報に対応する番組情報の取得要求を送信する。この取得要求には、取得を希望する番組のチャンネル番号が含まれる。
【００４３】
そして、制御部２５は、記憶装置３０から外部インタフェース２８介して伝送された番組情報を受信し、この番組情報に基づいて受信部２２に該当する放送チャンネルの放送信号を受信させて、その受信信号をＲＡＭ２６に記録する録画処理を実行する。以後、番組終了時間になるまで録画処理を実行する。
【００４４】
以上のように上記第２の実施形態では、屋内ＨＭに複数の番組情報を記憶する記憶装置３０を設置しテレビジョン受像機２０Ｂに接続するようにしたので、テレビジョン受像機２０Ｂは録画指定されたチャンネルに対応する番組情報を記憶装置３０から読み出すといった簡単な手順でしかも短時間で録画設定処理を実行することができる。
【００４５】
（第３の実施形態）  
図７は、この発明の第３の実施形態における携帯受像機１０Ｂの構成を示すブロック図である。なお、図７において、上記図２と同一部分には同一符号を付して詳細な説明を省略する。
【００４６】
すなわち、携帯受像機１０Ｂには、ＧＰＳ（Global Positioning System）受信部１９が設けられている。ＧＰＳ受信部１９は、ＧＰＳ衛星（図示せず）からの信号を受信し、この受信信号から携帯受像機１０Ｂの現在位置を示す位置情報を生成し、制御部１６に供給する。
【００４７】
制御部１６のチャンネル番号送信機能１６ａは、入力部１５からのテレビジョン受像機２０Ａに対する録画設定指示に応じて無線通信部１７を制御してテレビジョン受像機２０Ａにアクセスし、視聴中の放送チャンネル番号を示すチャンネル番号情報を生成するとともに、ＧＰＳ受信部１９で得られる位置情報をチャンネル番号情報に付加し、アンテナ１８、基地局ＢＳ及びネットワークＮＷを介して位置情報を付加した該チャンネル番号情報をテレビジョン受像機２０Ａに送信する。
【００４８】
次に、以上のように構成された番組録画システムの動作を説明する。図８は、携帯受像機１０Ｂの動作手順とその内容を示すフローチャートである。
【００４９】
例えばユーザが大阪で携帯受像機１０Ｂを用いて任意の放送チャンネルの番組を視聴しているものとする（ステップＳＴ８ａ）。そして、この状態でユーザが入力部１５に設けられる「自宅録画ボタン」を押すことにより（ステップＳＴ８ｂ）、携帯受像機１０Ｂの制御部１６は視聴中のチャンネル番号を示すチャンネル番号情報を作成し、図示しないバッファに記憶保持し（ステップＳＴ８ｃ）、さらにＧＰＳ受信部１９から位置情報を取得して図示しないバッファに記憶保持する（ステップ８ｄ）。
【００５０】
続いて、制御部１６は、無線通信部１７を制御してネットワークＮＷに対し東京の屋内ＨＭに設置されたテレビジョン受像機２０Ａの発呼信号を送出する。この発呼に対しテレビジョン受像機２０Ａとの間に通信リンクが確立されると、この通信リンクを介して作成したチャンネル番号情報に位置情報を付加して送信する（ステップＳＴ８ｅ）。
【００５１】
図９は、この第３の実施形態におけるテレビジョン受像機２０Ａの動作手順とその内容を示すフローチャートである。  
テレビジョン受像機２０Ａの制御部２５は、携帯受像機１０ＢからネットワークＮＷを介して伝送されたチャンネル番号情報を受信し（ステップＳＴ９ａ）、携帯受像機１０Ｂとの間の通信リンクを切断した後、ネットワークＮＷに対し番組提供サーバＰＳＶの発呼信号を送出する。そして、この発呼に対し番組提供サーバＰＳＶとの間に通信リンクが確立されると、この通信リンクを介して番組提供サーバＰＳＶに対しチャンネル番号情報及び位置情報に対応する番組情報の取得要求を送信する（ステップＳＴ９ｂ）。この取得要求には、取得を希望する番組のチャンネル番号、携帯受像機１０Ｂの位置情報及びテレビジョン受像機２０Ａの位置情報が含まれる。
【００５２】
番組提供サーバＰＳＶでは、各放送サービスエリアごとの番組表を管理しており、取得要求に携帯受像機１０Ｂの位置情報及びテレビジョン受像機２０Ａの位置情報が含まれている場合に、これら位置情報を比較し、この比較結果から各位置情報に対応する番組表を比較照合し、テレビジョン受像機２０Ａの設置エリアに対応するチャンネル番号の番組情報を送信する。
【００５３】
一方、制御部２５は、所定時間以内に番組提供サーバＰＳＶから番組情報が到来するか否かを判定し（ステップＳＴ９ｃ）、到来した場合に（Ｙｅｓ）、番組情報を受信し（ステップＳＴ９ｄ）、この番組情報に基づいて受信部２２に該当する放送チャンネルの放送信号を受信させて、その受信信号をＲＡＭ２６に記録する録画処理を実行する（ステップＳＴ９ｅ）。
【００５４】
この実行中に、制御部２５は番組情報に示される番組終了時間になるか否かを判定し（ステップＳＴ９ｆ）、番組終了時間になるまで録画処理を実行する。そして、番組終了時間になった場合に（Ｙｅｓ）、制御部２５は録画処理を終了する。
【００５５】
また、上記ステップＳＴ９ｃにおいて、所定時間経過しても番組提供サーバＰＳＶから番組情報が送られない場合（Ｎｏ）、制御部２５は携帯受像機１０Ｂの放送エリアで放送されている番組がテレビジョン受像機２０Ａの放送エリアで放送していないものと判断して、放送されていない旨のメッセージをモニタ２４に表示、またはＲＡＭ２６に記憶する（ステップＳＴ９ｇ）。
【００５６】
以上のように上記第３の実施形態では、携帯受像機１０Ｂからテレビジョン受像機２０Ａに対し送信すべくチャンネル番号情報に携帯受像機１０Ｂの現在位置を示す位置情報を付加して送信し、チャンネル番号情報受信時にテレビジョン受像機２０Ａにより携帯受像機１０Ｂの放送エリアで視聴中のチャンネルに対応し屋内ＨＭの放送エリアで放送されているチャンネルの番組情報をネットワークＮＷ上の番組提供サーバＰＳＶから取得するようにしている。
【００５７】
従って、携帯受像機１０Ｂの現在位置とテレビジョン受像機２０Ａの設置場所とで録画すべく番組のチャンネル番号または番組開始終了時間が異なる場合でも、チャンネル番号情報に付加される携帯受像機１０Ｂの位置情報を利用することで、テレビジョン受像機２０Ａにより録画すべくチャンネル番号及び番組開始終了時間とを確実に取得することができる。
【００５８】
（その他の実施形態）  
なお、この発明は上記各実施形態に限定されるものではない。例えば上記第３の実施形態では、テレビジョン受像機において、携帯受像機の放送エリアで放送されている番組情報をネットワーク上の番組提供サーバから取得する例について説明した。しかしこれに限ることなく、屋内に第２の実施形態で使用される記憶装置から携帯受像機の放送エリアで放送されている番組情報を読み出すようにしてもよい。
【００５９】
また、上記第３の実施形態では、携帯受像機でＧＰＳ衛星からの信号を受信して、位置情報を取得する例について説明したが、携帯受像機にＧＰＳ受信部が設けられていない場合に、基地局から現在位置を示す位置情報を取得するようにしてもよい。
【００６０】
また、上記各実施形態では、インターネットによるネットワークを使用する例について説明したが、無線ＬＡＮ（Wireless Local Area Network）やブルートゥース等の通信回線を用いてもよい。また各実施形態では、録画機能付きのテレビジョン受像機を使用する例について説明したが、テレビジョン受像機と録画装置とが別々のものであってもよい。
【００６１】
その他、携帯受像機の構成、テレビジョン受像機の構成、番組情報の取得制御手順及びその内容、録画制御手順及びその内容等についても、この発明の要旨を逸脱しない範囲で種々変形して実施できる。
【図面の簡単な説明】
【００６２】
【図１】この発明に係わる番組録画システムの第１の実施形態を示す概略構成図。
【図２】同第１の実施形態における放送受信端末である携帯受像機の構成を示すブロック図。
【図３】同第１の実施形態における番組録画装置であるテレビジョン受像機の構成を示すブロック図。
【図４】図２に示した携帯受像機の動作手順とその内容を示すフローチャート。
【図５】図３に示したテレビジョン受像機の動作手順とその内容を示すフローチャート。
【図６】この発明の第２の実施形態におけるテレビジョン受像機の構成を示すブロック図。
【図７】この発明の第３の実施形態における携帯受像機の構成を示すブロック図。
【図８】同第３の実施形態における携帯受像機の動作手順とその内容を示すフローチャート。
【図９】同第３の実施形態におけるテレビジョン受像機の動作手順とその内容を示すフローチャート。
【符号の説明】
【００６３】
１０Ａ，１０Ｂ…携帯受像機、１１…アンテナ、１２…受信部、１３…映像処理部、１４…モニタ、１５…入力部、１６…制御部、１６ａ…チャンネル番号送信機能、１７…無線通信部、１８…アンテナ、１９…ＧＰＳ受信部、２０Ａ，２０Ｂ…テレビジョン受像機、２１…アンテナ、２２…受信部、２３…映像処理部、２４…モニタ、２５…制御部、２５ａ…番組情報取得機能、２５ｂ…録画制御機能、２６…ＲＡＭ、２７…通信部、２８…外部インタフェース、３０…記憶装置、ＨＭ…屋内、ＮＷ…ネットワーク、ＢＳ…基地局、ＰＳＶ…番組提供サーバ。
【図１】
2005286898.tif 000003
【図２】
2005286898.tif 000004
【図３】
2005286898.tif 000005
【図４】
2005286898.tif 000006
【図５】
2005286898.tif 000007
【図６】
2005286898.tif 000008
【図７】
2005286898.tif 000009
【図８】
2005286898.tif 000010
【図９】
2005286898.tif 000011